(57)【要約】【課題】簡単且つ正確に釣エサをすくうことができる釣用スプーンを提供する。【解決手段】釣用スプーン１０は、半筒状のスプーン本体２０と、スプーン本体２０に連続して軸方向１０１に延び、釣人が把持する主軸３０と、スプーン本体２０の内側に軸方向１０１に沿ってスライド自在に配置され、スプーン本体２０の内壁面２２に沿う縁部４３を有するピストン４０と、ピストン４０に連続して軸方向１０１に延び、且つ端部５１が主軸３０に対して軸方向１０１に沿って第１位置と第２位置との間でスライド自在に支持されたロッド５０と、ロッド５０の端部５１を第１位置及び第２位置で保持する保持機構とを備える。保持機構は、主軸３０に形成されたスライド溝３７の一端部３８及び他端部３９で、ロッド５０と主軸３０とを繋ぐ連結ピン６０を主軸３０に圧接させて摩擦力を発生させることで、端部５１を第１位置及び第２位置で保持する。【選択図】図４
0003211123.tif 000002
【実用新案登録請求の範囲】
【請求項１】
先端及び基端を有し、当該先端及び基端を結ぶ軸方向に沿って分割された半筒状のスプーン本体と、
当該スプーン本体の基端に連続して上記軸方向に延び、釣人が把持する主軸と、
上記スプーン本体の内側に上記軸方向に沿ってスライド自在に配置され、当該スプーン本体の内壁面に沿う縁部を有するピストンと、
当該ピストンに連続して上記軸方向に延び、且つ所定部位が上記主軸に対して上記軸方向に沿って第１位置と第２位置との間でスライド自在に支持されているロッドと、
上記ロッドの所定部位を上記第１位置及び上記第２位置で所定の保持力で保持する保持機構とを備えた釣用スプーン。
【請求項２】
上記主軸に上記軸方向に沿って延び且つ当該軸方向と交差する方向に貫通するスライド溝が形成されており、当該スライド溝は、上記第１位置及び第２位置にそれぞれ対応する一端部及び他端部を有し、
上記軸方向に沿ってスライド可能な状態で上記スライド溝に挿通された連結ピンが上記ロッドの所定部位と係合することにより、上記ロッドと主軸とを連結しており、
上記保持機構は、上記スライド溝の一端部及び他端部で上記連結ピンを上記主軸に圧接させて所定の摩擦力を発生させるものである、請求項１に記載の釣用スプーン。
【請求項３】
上記連結ピンは、
上記主軸及びロッドを貫通するピン本体と、
当該ピン本体の両端に設けられ、一定の間隔を空けて対向する一対の端面板とを有し、
上記一端部及び他端部の肉厚は、それぞれ端に向かって漸次大きくなっている、請求項２に記載の釣用スプーン。
【請求項４】
上記ピストンは、上記スプーン本体と係合する係合部を備えている請求項１から３のいずれかに記載の釣用スプーン。
【請求項５】
上記ピストンは、
上記スプーン本体の内側に配置された内側部と、
上記内側部から上記スプーン本体の外側へ延出された外側部と、を備える請求項１から４のいずれかに記載の釣用スプーン。
【考案の詳細な説明】
【技術分野】
【０００１】
この考案は、釣りに使用されるエサ（特にアミエビ）を少量ずつすくい取る釣用スプーンの構造に関するものである。
【背景技術】
【０００２】
釣りに使用されるエサは多様であり、ゴカイ等のいわゆる虫エサのほか、アミエビ等のエビ類、オキアミ等のプランクトンも釣エサとなる。また、これらのエサは、生きたまま釣針に付けられることもあれば、ボイル加工や塩漬け加工が施される場合もある。エサの種類によっては、その臭いや手触り感が釣人にとって不快に感じられる場合もある。典型的には、塩漬けされたアミエビなどである。従来、塩漬けされたアミエビをすくうためのスコップが提案されている（例えば非特許文献１参照）。釣人は、このスコップを使用することにより、アミエビに直接触れることなく所定量を仕掛け（例えばサビキ仕掛けに組み込まれるエサカゴ）に詰め込むことができる。
【０００３】
図７は、従来のスコップの斜視図である。
【０００４】
このスコップは、主軸１と、主軸１の先端に連続し、アミエビを掻き取って保持する本体２と、主軸１に支持されたピストン３と、ピストン３を主軸１の基端６側（矢印７の向き）に弾性的に付勢するバネ（不図示）とを有する。主軸１は円筒状に形成され、本体２は、二分割された円筒状を呈し、主軸１よりも大径に形成されている。ピストン３は、プレート４及びロッド５を有する。プレート４は半円形の板状を呈し、本体２の内側に嵌め込まれている。ロッド５は、主軸１の内部に挿入され、軸方向に沿ってスライド可能となっている。ロッド５に把手８が設けられており、釣人は、主軸１を把持しつつ把手８を操作してロッド５を軸方向にスライドさせることにより、プレート４を本体２に対してスライドさせる。
【先行技術文献】
【特許文献】
【０００５】
【非特許文献１】株式会社ナカジマ  ｗｅｂカタログ（http://www.nakazima.org/cargo/2NEWsearch.cgi?_file=Zen）
【考案の概要】
【考案が解決しようとする課題】
【０００６】
釣人は、このスコップを利用してアミエビをすくう。具体的には、釣人は、スコップの主軸１を把持し、本体２をアミエビの塊に差し込む。一定量のアミエビが本体２に収容される。釣人は、把手８を操作してプレート４をスライドさせることにより、本体２からアミエビが押し出される。
【０００７】
ところで、前述のようにロッド５は上記バネによって矢印７の向きに弾性付勢されていることから、本体２がアミエビの塊に差し込まれた際に本体２に収容されるアミエビの量が安定しない。すなわち、プレート４が主軸１側に配置されているので、本体２の差込方によっては、収容されるアミエビの量に多少が生じる。そのため、例えば上記エサカゴにアミエビを移す際に、本体２に収容されたアミエビの量が少なければ、釣人は何度も繰り返して操作をする必要があり、他方、本体２に収容されたアミエビの量が多すぎると、エサカゴからアミエビがこぼれ落ちてしまうし、釣場をエサで汚してしまうことにもつながる。
【０００８】
本考案はかかる背景のもとになされたものであって、その目的は、簡単且つ正確に一定量の釣エサをすくうことができる釣用スプーンを提供することである。
【課題を解決するための手段】
【０００９】
(1) 本考案に係る釣用スプーンは、先端及び基端を有し、当該先端及び基端を結ぶ軸方向に沿って分割された半筒状のスプーン本体と、当該スプーン本体の基端に連続して上記軸方向に延び、釣人が把持する主軸と、上記スプーン本体の内側に上記軸方向に沿ってスライド自在に配置され、当該スプーン本体の内壁面に沿う縁部を有するピストンと、当該ピストンに連続して上記軸方向に延び、且つ所定部位が上記主軸に対して上記軸方向に沿って第１位置と第２位置との間でスライド自在に支持されているロッドと、上記ロッドの所定部位を上記第１位置及び上記第２位置で所定の保持力で保持する保持機構とを備えている。
【００１０】
実釣において釣人は、主軸を持ち、例えばアミエビブロックにスプーン本体を突き刺すことができる。このとき、釣人は、予めロッドの所定部位が第１位置（「第１位置」とは、軸方向先端側の位置と定義される。）に配置されるように当該ロッドをスライドさせておくことができる。このとき、ピストンは、スプーン本体の先端側へ移動する。スプーン本体がアミエビブロックに突き刺されると、スプーン本体内にアミエビが進入し、このアミエビによって上記ピストンが押されてスプーン本体の基端側へ移動する。すなわち、上記ロッドの所定部位は軸方向にスライドし、上記第１位置から第２位置（「第２位置」とは、軸方向基端側の位置と定義される。）へスライドする。ピストンがスプーン本体の基端側へ移動すると、スプーン本体とピストンとにより区画される空間にアミエビが詰め込まれる。この状態で釣人が再びロッドを操作し、ピストンを上記基端側の位置から上記先端側の位置へスライドさせると、上記空間に詰め込まれたアミエビがピストンによってスプーン本体から押し出され、例えばエサカゴに移される。
【００１１】
もっとも、スプーン本体がアミエビブロックに突き刺されるときに、ロッドの所定部位が予め第１位置に配置されている必要はない。すなわち、上記ピストンがスプーン本体に対して如何なる位置に配置されていたとしても、上記ロッド及びピストンは如何なる方向にも外力を受けていない（従来のスコップのように弾性付勢されていない）から、スプーン本体がアミエビブロックに突き刺されるだけで、アミエビは上記空間（スプーン本体とピストンとにより区画される空間）に詰め込まれる。
【００１２】
アミエビブロックにスプーン本体が突き刺される際に、前述のように予めピストンがスプーン本体の先端側に配置されていると、ピストンは、スプーン本体内に進入するアミエビに押されながらスライドするので、アミエビは、上記空間を拡げながら当該空間に進入する。しかも、第１位置にスライドされたロッドの所定部位は、保持機構によって一定の保持力で保持される。したがって、アミエビブロックにスプーン本体が突き刺される際に、上記保持力を超える外力が主軸に作用したときにピストンがスライドする。その結果、ピストンが安定し、上記スプーン本体内にアミエビが簡単且つ確実に充填される。加えて、第２位置にスライドされたロッドの所定部位は、保持機構によって一定の保持力で保持される。このため、釣人は、当該保持力を超える力でロッドを操作しない限り、スプーン本体からアミエビが放出されることはない。
【００１３】
(2) 上記主軸に上記軸方向に沿って延び且つ当該軸方向と交差する方向に貫通するスライド溝が形成されており、当該スライド溝は、上記第１位置及び第２位置にそれぞれ対応する一端部及び他端部を有し、上記軸方向に沿ってスライド可能な状態で上記スライド溝に挿通された連結ピンが上記ロッドの所定部位と係合することにより、上記ロッドと主軸とを連結しているのが好ましい。上記保持機構は、上記スライド溝の一端部及び他端部で上記連結ピンを上記主軸に圧接させて所定の摩擦力を発生させるものであるのが好ましい。
【００１４】
この構成では、連結ピンがロッドに設けられ、且つ主軸に設けられたスライド溝に挿通されている。釣人がこの連結ピンをスライド溝に沿ってスライドさせることにより、簡単にロッド及びピストンが前述のようにスライドする。また、この連結ピンが主軸に圧接されることにより生じる摩擦力によって主軸に保持されるから、ロッド及びピストンの位置決めが簡単である。
【００１５】
(3) 上記連結ピンは、上記主軸及びロッドを貫通するピン本体と、当該ピン本体の両端に設けられ、一定の間隔を空けて対向する一対の端面板とを有し、上記一端部及び他端部の肉厚は、それぞれ端に向かって漸次大きくなっているのが好ましい。
【００１６】
この構成では、一対の端面板同士の間に形成される隙間に主軸が挟み込まれることにより、連結ピンが主軸に圧接されることになる。このように、主軸の肉厚を変更することにより、連結ピンと主軸との圧接がきわめて簡単に実現される。
【００１７】
(4) 上記ピストンは、上記スプーン本体と係合する係合部を備えているのが好ましい。
【００１８】
この構成によれば、ピストンの係合部がスプーン本体と係合しているから、ピストンは、円滑にスライドすることができる。
【００１９】
(5) 上記ピストンは、上記スプーン本体の内側に配置された内側部と、上記内側部から上記スプーン本体の外側へ延出された外側部と、を備えているのが好ましい。
【００２０】
実釣において釣人は、主軸を持ち、例えばアミエビブロックにスプーン本体を突き刺すことができる。これにより、アミエビなどが掻き取られて、スプーン本体とピストンとにより区画される空間にアミエビが詰め込まれる。このとき、多くのアミエビが詰め込まれて、アミエビがスプーン本体から盛り上がった状態となることがある。この構成によれば、ピストンを上記基端側の位置から上記先端側の位置へスライドさせると、外側部がスプーン本体から盛り上がったアミエビを押す。これにより、スプーン本体から盛り上がったアミエビを釣用スプーンから押し出すことができる。
【考案の効果】
【００２１】
この考案によれば、スプーン本体が釣エサに差し込まれるだけで、当該スプーン本体内に釣エサが簡単且つ確実に充填されるので、釣人は、常に一定量の釣エサを正確にすくうことができる。
【図面の簡単な説明】
【００２２】
【図１】図１は、端部５１が第２位置に位置する状態の釣用スプーン１０の斜視図である。
【図２】図２は、釣用スプーン１０の分解斜視図である。
【図３】図３は、釣用スプーン１０の平面図である。
【図４】図４は、図３のＩＶ−ＩＶ断面図である。
【図５】図５は、釣用スプーン１０の側面図である。
【図６】図６は、端部５１が第１位置に位置する状態の釣用スプーン１０の斜視図である。
【図７】図７は、従来のスコップの斜視図である。
【考案を実施するための形態】
【００２３】
以下、本考案の好ましい実施形態が、適宜図面が参照されつつ説明される。
【００２４】
図１及び図２に示されるように、釣用スプーン１０は、スプーン本体２０と、主軸３０と、ピストン４０と、ロッド５０と、連結ピン６０とを備える。釣用スプーン１０は、樹脂で構成されている。スプーン本体２０と主軸３０とは、一体成型されている。ピストン４０とロッド５０とは、一体成型されている。
【００２５】
図１及び図２に示されるスプーン本体２０は、釣りに使用されるエサ（本実施形態ではアミエビだがこれに限定されない。）を掻き取って保持するためのものである。
【００２６】
図１及び図２に示されるように、スプーン本体２０は、軸方向１０１に延びている。スプーン本体２０は、軸方向１０１に沿って分割された半筒状である。半筒状のスプーン本体２０の内部空間２１に、アミエビが保持される。
【００２７】
スプーン本体２０は、内壁面２２と、外壁面２３と、第１断面２４と、第２断面２５とを備える。
【００２８】
内壁面２２は湾曲している。内壁面２２は、内部空間２１の一部を区画している。外壁面２３は、内壁面２２の裏側の面である。
【００２９】
第１断面２４及び第２断面２５は、内壁面２２と外壁面２３とを繋ぐ面である。第１断面２４は、スプーン本体２０の基端２６を含む面である。第２断面２５は、スプーン本体２０の先端２７を含む面である。基端２６と先端２７とは、軸方向１０１に対向している。つまり、軸方向１０１は、基端２６と先端２７とを結ぶ方向である。第１断面２４と第２断面２５とは連続している。第１断面２４は、軸方向１０１に沿って延びている。第２断面２５は、第１断面２４に対して傾斜している。これにより、図４及び図５に示されるように、スプーン本体２０は、先端２７に近づく程に細くなっている。その結果、アミエビブロックなどにスプーン本体２０の先端２７を容易に突き刺すことができる。
【００３０】
図１及び図２に示される主軸３０は、釣人が釣用スプーン１０を使用する際に釣人によって把持されるものである。
【００３１】
図１及び図２に示されるように、主軸３０は、スプーン本体２０の基端２６に連続して軸方向１０１に延びている。主軸３０は中空である。図４に示されるように、主軸３０の内部空間３１に、ロッド５０が配置される。
【００３２】
図２及び図４に示されるように、主軸３０は、内側面３２と、外側面３３と、先端面３４とを備える。内側面３２は、内部空間３１の一部を区画している。外側面３３は、内側面３２の裏側の面である。
【００３３】
主軸３０の軸方向１０１の一端に、開口３６及び先端面３４が形成されている。先端面３４は、開口３６を囲むように形成されている。軸方向１０１の一端は、軸方向１０１におけるスプーン本体２０の基端２６と連続している。内部空間３１は、開口３６を通じてスプーン本体２０の内部空間２１と連通している。
【００３４】
図１及び図２に示されるように、主軸３０の外側面３３に、スライド溝３７が形成されている。スライド溝３７は、軸方向１０１に沿って延びている。図４に示されるように、スライド溝３７は、外側面３３から内側面３２へ主軸３０を貫通している。換言すると、スライド溝３７は、軸方向１０１と交差する方向に主軸３０を貫通している。
【００３５】
スライド溝３７の軸方向１０１の一端部３８及び他端部３９における主軸３０の肉厚は、スライド溝３７の軸方向１０１の端へ向かうにしたがって漸次大きくなっている。一端部３８は、軸方向１０１におけるスプーン本体２０の基端２６側の端である。他端部３９は、軸方向１０１におけるスプーン本体２０の基端２６と反対側の端である。主軸３０の肉厚は、内側面３２と外側面３３との間の厚み方向１０３の長さである。一端部３８の肉厚が、図４において肉厚ｔとして図示されている。厚み方向１０３は、軸方向１０１と直交する方向である。
【００３６】
図３に示されるように、主軸３０は、軸方向１０１及び厚み方向１０３と直交する幅方向１０２へ膨らんだ膨出部２９を備えている。膨出部２９は、スライド溝３７よりも主軸３０の基端に近い位置に形成されている。ここで、主軸３０の基端は、軸方向１０１におけるスプーン本体２０との連結部分とは反対側の端である。
【００３７】
図５に示されるように、主軸３０は、主軸３０の基端へ近づく程に厚み方向１０３へ縮径した縮径部２８を備えている。縮径部２８は、膨出部２９よりも主軸３０の基端に近い位置に形成されてる。
【００３８】
なお、本実施形態では、図４に示されるように、主軸３０におけるスライド溝３７が形成された部分の反対側が開放されているが、当該反対側は閉塞されていてもよい。また、本実施形態では、図４に示されるように、主軸３０の軸方向１０１の他端は、壁３５によって閉塞されているが、当該他端は開放されていてもよい。
【００３９】
図１に示されるように、ピストン４０は、その一部がスプーン本体２０の内部空間２１に配置されている。ピストン４０は、概ね板状態の部材である。ピストン４０は、スプーン本体２０の第１断面２４によって、軸方向１０１に沿ってスライド自在に支持されている。
【００４０】
図２に示されるように、ピストン４０は、内側部４１と、外側部４２と、縁部４３と、係合部４４とを備える。
【００４１】
図１に示されるように、内側部４１は、スプーン本体２０の内部空間２１に配置されている。つまり、内側部４１は、スプーン本体２０の内側に配置されている。外側部４２は、内側部４１と繋がっている。外側部４２は、スプーン本体２０の外方に配置されている。つまり、外側部４２は、内側部４１からスプーン本体２０の外側へ延出されている。
【００４２】
図３に示されるように、内側部４１及び外側部４２におけるスプーン本体２０の先端２７を向く面４５は、幅方向１０２の中央である程にスプーン本体２０の先端２７からの軸方向１０１の距離が長くなるように湾曲している。
【００４３】
図１に示されるように、面４５のうち内側部４１の部分は、スプーン本体２０の内部空間２１の一部を区画している。
【００４４】
縁部４３は、内側部４１の外周面である。縁部４３は、スプーン本体２０の内壁面２２に沿うように湾曲している。なお、縁部４３と内壁面２２とは、互いに当接していてもよいし、隙間を開けて対向していてもよい。
【００４５】
図２に示されるように、外側部４２の幅方向１０２の両端から突起４６が延びている。係合部４４は、縁部４３と突起４６とによって区画された凹部である。図１に示されるように、スプーン本体２０の第１断面２４及びその周辺部が、当該凹部へ嵌入されている。つまり、係合部４４がスプーン本体２０と係合している。
【００４６】
図２に示されるように、ロッド５０は、ピストン４０の面４５の裏側から軸方向１０１に延びている。換言すると、ロッド５０は、ピストン４０に連続して軸方向１０１に延びている。ロッド５０の直径は、主軸３０のスライド溝３７よりも幅方向に長い。
【００４７】
ロッド５０は、軸方向１０１におけるピストン４０とは反対側の端部５１（所定部位の一例）に穴５２を備えている。穴５２には、連結ピン６０が挿入されている。なお、穴５２は、ロッド５０の端部５１以外、例えばロッド５０の軸方向１０１における中央部に設けられていてもよい。この場合、当該中央部が所定部位に相当する。
【００４８】
ロッド５０は、主軸３０に対して軸方向１０１に沿ってスライド自在に、主軸３０によって支持されている。ロッド５０のスライドによって、端部５１は第１位置と第２位置との間を移動可能である。第１位置の端部５１は、図６に示されるように、軸方向１０１においてスライド溝３７の一端部３８と同位置である。つまり、一端部３８は第１位置に対応している。第２位置の端部５１は、図１に示されるように、軸方向１０１においてスライド溝３７の他端部３９と同位置である。つまり、他端部３９は第２位置に対応している。
【００４９】
図２及び図４に示される連結ピン６０は、ロッド５０と主軸３０とを連結するものである。図２及び図４に示されるように、連結ピン６０は、ピン本体６１と、一対の端面板６２Ａ、６２Ｂとで構成されている。
【００５０】
ピン本体６１の直径は、軸方向１０１及び幅方向１０２においてスライド溝３７より短い。ピン本体６１は、スライド溝３７を貫通している。つまり、連結ピン６０は、軸方向１０１に沿ってスライド可能な状態でスライド溝３７に挿通されている。
【００５１】
また、ピン本体６１は、ロッド５０の穴５２に挿入されて嵌合されている。これにより、連結ピン６０は、ロッド５０と連結されている。
【００５２】
図４に示されるように、一対の端面板６２Ａ、６２Ｂは、ピン本体６１が主軸３０及びロッド５０を貫通した状態において、厚み方向１０３に一定の間隔を空けて対向している。
【００５３】
端面板６２Ａは、ロッド５０と一体に形成された円柱状の板である。端面板６２Ａは、ロッド５０の端部５１に形成されている。端面板６２Ａは、厚み方向１０３において、ロッド５０からスライド溝３７とは反対側へ突出している。穴５２は、ロッド５０を貫通して端面板６２Ａにまで達している。ピン本体６１は、穴５２を通じて、ロッド５０を貫通して、端面板６２Ａに挿入されている。
【００５４】
端面板６２Ｂは、ピン本体６１と一体に形成された円板である。端面板６２Ａは、厚み方向１０３において、ピン本体６１における端面板６２Ａに挿入される側とは反対側の端部に形成されている。ピン本体６１が穴５２に挿入された状態において、端面板６２Ｂは、主軸３０の外方に位置している。また、端面板６２Ｂの直径は、幅方向１０２において主軸３０のスライド溝３７より長い。また、上述したように、ロッド５０の直径は、主軸３０のスライド溝３７よりも幅方向に長い。よって、ピン本体６１が穴５２に挿入された状態において、主軸３０は、端面板６２Ｂとロッド５０とに挟まれた状態となる。つまり、連結ピン６０は、ロッド５０の端部５１と係合することにより、ロッド５０と主軸３０とを連結している。
【００５５】
以上より、本実施形態では、ピストン４０の係合部４４がスプーン本体２０と係合することにより、ロッド５０及びピストン４０の軸方向１０１の一端部の、主軸３０及びスプーン本体２０との連結が維持されている。また、主軸３０が端面板６２Ｂとロッド５０とに挟まれることにより、ロッド５０及びピストン４０の軸方向１０１の他端部の、主軸３０及びスプーン本体２０との連結が維持されている。
【００５６】
スライド溝３７の軸方向１０１の中央部（一端部３８及び他端部３９以外の部分）において、主軸３０の肉厚は、端面板６２Ｂとロッド５０との隙間の厚み方向１０３の長さＧ（図４参照）よりも短い。これにより、ロッド５０の端部５１が当該中央部に位置するとき、ロッド５０は主軸３０に対してスライド自在である。
【００５７】
一方、スライド溝３７の軸方向１０１の一端部３８及び他端部３９において、主軸３０の肉厚は、スライド溝３７の軸方向１０１の端へ向かうにしたがって漸次大きくなっていく。すると、当該肉厚は、長さＧ以上となる。これにより、主軸３０を挟んだロッド５０及び端面板６２Ｂが、主軸３０に圧接して、所定の摩擦力が発生する。その結果、ロッド５０の端部５１は、スライド溝３７の一端部３８と同位置（第１位置、図６参照）、及びスライド溝３７の他端部３９と同位置（第２位置、図１参照）において、所定の保持力で保持される。釣用スプーン１０のうち、ロッド５０を保持するように機能する部分（スライド溝３７の一端部３８及び他端部３９において主軸３０の肉厚が、長さＧ以上である部分）は、本考案の保持機構の一例である。
【００５８】
以下、釣用スプーン１０の操作手順が説明される。
【００５９】
最初に、主軸３０が釣人によって把持される。次に、連結ピン６０の端面板６２Ｂが、釣人の指で押さえられつつ、端部５１が第１位置へ位置するようにロッド５０がスライドされる。ロッド５０は、主軸３０における肉厚が大きくなった部分に圧接されて第１位置に保持された状態となる（図６参照）。なお、前述した手順は省略可能である。つまり、必ずしも、最初に、端部５１が第１位置へ位置するようにロッド５０がスライドされる必要はない。
【００６０】
なお、このとき、主軸３０が膨出部２９及び縮径部２８を備えていることによって、主軸３０が釣人の手にフィットする。また、主軸３０が膨出部２９及び縮径部２８を備えていることによって、端面板６２Ｂを押さえてロッド５０をスライドさせる動作が、釣人にとって容易となる。
【００６１】
上記状態で、スプーン本体２０が、先端２７からアミエビブロックへ突き刺される。このとき、ロッド５０に対する保持力以上の力がピストン４０の面４５にかかると、ピストン４０は、スプーン本体２０の内部空間２１へ進入するアミエビに押されながらロッド５０の端部５１が第１位置から第２位置へ向かう向きへスライドする。端部５１が第２位置へ到達すると、ロッド５０は、主軸３０における肉厚が大きくなった部分に圧接されて第２位置に保持された状態となる（図１参照）。これにより、内部空間２１は最大限に大きくなる。そして、最大限に大きくなった内部空間２１に、アミエビが詰め込まれる。
【００６２】
次に、連結ピン６０の端面板６２Ｂが、釣人の指で押さえられつつ、端部５１が第２位置から第１位置へ向かうようにロッド５０がスライドされる。これにより、内部空間２１に詰め込まれたアミエビは、ピストン４０に押されて、スプーン本体２０から押し出され、例えばエサカゴに移される。
【００６３】
なお、本実施形態では、ロッド５０及びピストン４０は、従来のスコップのように弾性付勢されていない。そのため、アミエビをスプーン本体２０から押し出す際のロッド５０のスライドのために、大きな力は不要である。
【００６４】
［実施形態の効果］
【００６５】
実釣において釣人は、主軸３０を持ち、例えばアミエビブロックにスプーン本体２０を突き刺すことができる。このとき、釣人は、予めロッド５０の端部５１が第１位置に配置されるようにロッド５０をスライドさせておくことができる。このとき、ピストン４０は、図６に示されるように、スプーン本体２０の先端側へ移動する。スプーン本体２０がアミエビブロックに突き刺されると、スプーン本体２０内にアミエビが進入し、このアミエビによってピストン４０が押されてスプーン本体２０の基端側へ移動する。すなわち、ロッド５０の端部５１は軸方向１０１にスライドし、第１位置から第２位置へスライドする。図１に示されるように、ピストン４０がスプーン本体２０の基端側へ移動すると、スプーン本体２０とピストン４０とにより区画される内部空間２１にアミエビが詰め込まれる。この状態で釣人が再びロッド５０を操作し、ピストン４０を基端側の位置から先端側の位置へスライドさせると、内部空間２１に詰め込まれたアミエビがピストン４０によってスプーン本体２０から押し出され、例えばエサカゴに移される。
【００６６】
もっとも、スプーン本体２０がアミエビブロックに突き刺されるときに、ロッド５０の端部５１が予め第１位置に配置されている必要はない。すなわち、ピストン４０がスプーン本体２０に対して如何なる位置に配置されていたとしても、ロッド５０及びピストン４０は如何なる方向にも外力を受けていない（従来のスコップのように弾性付勢されていない）から、スプーン本体２０がアミエビブロックに突き刺されるだけで、アミエビは内部空間２１に詰め込まれる。
【００６７】
アミエビブロックにスプーン本体２０が突き刺される際に、前述のように予めピストン４０がスプーン本体２０の先端側に配置されていると、ピストン４０は、スプーン本体２０内に進入するアミエビに押されながらスライドするので、アミエビは、内部空間２１を拡げながら内部空間２１に進入する。しかも、第１位置にスライドされたロッド５０の端部５１は、主軸３０の肉厚が厚い部分によって一定の保持力で保持される。したがって、アミエビブロックにスプーン本体２０が突き刺される際に、上記保持力を超える外力が主軸３０に作用したときにピストン４０がスライドする。その結果、ピストン４０が安定し、スプーン本体２０内にアミエビが簡単且つ確実に充填される。加えて、第２位置にスライドされたロッド５０の端部５１は、主軸３０の肉厚が厚い部分によって一定の保持力で保持される。このため、釣人は、当該保持力を超える力でロッド５０を操作しない限り、スプーン本体２０からアミエビが放出されることはない。
【００６８】
本実施形態では、連結ピン６０がロッド５０に設けられ、且つ主軸３０に設けられたスライド溝３７に挿通されている。釣人が連結ピン６０をスライド溝３７に沿ってスライドさせることにより、簡単にロッド５０及びピストン４０が前述のようにスライドする。また、連結ピン６０が主軸３０に圧接されることにより生じる摩擦力によって主軸３０に保持されるから、ロッド５０及びピストン４０の位置決めが簡単である。
【００６９】
本実施形態では、一対の端面板６２Ａ、６２Ｂ同士の間に形成される隙間に主軸３０が挟み込まれることにより、連結ピン６０が主軸３０に圧接されることになる。このように、主軸３０の肉厚を変更することにより、連結ピン６０と主軸３０との圧接がきわめて簡単に実現される。
【００７０】
本実施形態によれば、ピストン４０の係合部４４がスプーン本体２０と係合しているから、ピストン４０は、円滑にスライドすることができる。
【００７１】
実釣において釣人は、主軸３０を持ち、例えばアミエビブロックにスプーン本体２０を突き刺すことができる。これにより、アミエビなどが掻き取られて、スプーン本体２０とピストン４０とにより区画される内部空間２１にアミエビが詰め込まれる。このとき、多くのアミエビが詰め込まれて、アミエビがスプーン本体２０から盛り上がった状態となることがある。本実施形態によれば、ピストン４０を基端側の位置から先端側の位置へスライドさせると、外側部４２がスプーン本体２０から盛り上がったアミエビを押す。これにより、スプーン本体２０から盛り上がったアミエビを釣用スプーン１０から押し出すことができる。
【００７２】
［変形例］
【００７３】
上記実施形態では、主軸３０の肉厚が、スライド溝３７の軸方向１０１の端へ向かうにしたがって漸次大きくなっていくことで、ロッド５０の端部５１が第１位置及び第２位置に保持されていた。しかし、ロッド５０の端部５１を保持する手段は、主軸３０の肉厚に限らない。
【００７４】
例えば、スライド溝３７の幅方向１０２の長さが、スライド溝３７の軸方向１０１の端へ向かうにしたがって漸次小さくなっていくことで、ロッド５０の端部５１が第１位置及び第２位置に保持されてもよい。この場合、スライド溝３７の幅方向１０２の長さが連結ピン６０のピン本体６１の直径より短くなることによって、スライド溝３７の縁面がピン本体６１を圧接することにより、所定の摩擦力が発生する。その結果、ロッド５０の端部５１が第１位置及び第２位置に保持される。
【００７５】
また、例えば、スライド溝３７の幅方向１０２の長さが小さくなることで、ロッド５０の端部５１が第１位置または第２位置の一方に保持され、主軸３０の肉厚が大きくなることで、ロッド５０の端部５１が第１位置または第２位置の他方に保持されてもよい。
【００７６】
上記実施形態では、ピストン４０は、内側部４１と外側部４２とを備えていた。つまり、ピストン４０は、スプーン本体２０の内側及び外側の双方に亘って配置されていた。しかし、ピストン４０は、外側部４２を備えていなくてもよい。つまり、ピストン４０は、スプーン本体２０の内側のみに配置されていてもよい。すなわち、ピストン４０は、その少なくとも一部がスプーン本体２０の内側に配置されていればよい。
【００７７】
上記実施形態では、連結ピン６０の端面板６２Ａがロッド５０と一体に形成されていた。しかし、連結ピン６０の構成は上記実施形態のものに限らない。例えば、連結ピン６０は、端面板６２Ａを備えておらず、ロッド５０と一体に形成されてロッド５０から突出したピン本体６１と、ピン本体６１に嵌合された端面板６２Ｂとで構成されていてもよい。また、連結ピン６０は、ロッド５０とは完全に別部材であって嵌合や接着などの手段によってロッド５０に取り付けられるものであってもよい。
【００７８】
上記実施形態では、スプーン本体２０と主軸３０とは一体成型されており、ピストン４０とロッド５０とは一体成型されていた。しかし、スプーン本体２０と主軸３０とは、別部材であって嵌合や接着などによって連結されていてもよいし、ピストン４０とロッド５０とは、別部材であって嵌合や接着などによって連結されていてもよい。
【００７９】
上記実施形態では、釣用スプーン１０は樹脂で構成されていたが、釣用スプーン１０は樹脂以外で構成されていてもよい。例えば、釣用スプーン１０は、木材や金属などによって構成されていてもよい。また、釣用スプーン１０の各部が異なる材料で構成されていてもよい。例えば、スプーン本体２０及び主軸３０が金属で構成されており、ピストン４０及びロッド５０が樹脂で構成されていてもよい。
【符号の説明】
【００８０】
１０・・・釣用スプーン
２０・・・スプーン本体
２１・・・内部空間
２２・・・内壁面
２３・・・外壁面
２４・・・第１断面
２５・・・第２断面
２６・・・基端
２７・・・先端
２８・・・縮径部
２９・・・膨出部
３０・・・主軸
３１・・・内部空間
３２・・・内側面
３３・・・外側面
３４・・・先端面
３５・・・壁
３６・・・開口
３７・・・スライド溝
３８・・・一端部
３９・・・他端部
４０・・・ピストン
４１・・・内側部
４２・・・外側部
４３・・・縁部
４４・・・係合部
４５・・・面
４６・・・突起
５０・・・ロッド
５１・・・端部（所定部位）
５２・・・穴
６０・・・連結ピン
６１・・・ピン本体
６２・・・側面板
１０１・・・軸方向
１０２・・・幅方向
１０３・・・厚み方向
【図１】
0003211123.tif 000003
【図２】
0003211123.tif 000004
【図３】
0003211123.tif 000005
【図４】
0003211123.tif 000006
【図５】
0003211123.tif 000007
【図６】
0003211123.tif 000008
【図７】
0003211123.tif 000009